(57)【特許請求の範囲】
【請求項１】
本体部(２１)と、その本体部(２１)の一端部に設けられた吹出部(２２)と、上記本体部(２１)の他端部に設けられた入口部(２３)とを有する換気用ダクト(２)と、
上記換気用ダクト(２)が、冷媒連絡配管(５)が熱交換器(３)に接続される接続部と反対側の側部に収納されると共に、前面側に上記熱交換器(３)が固定され、室内ユニット本体の背面側に取り付けられた底フレーム(１)と、
上記換気用ダクト(２)の上記入口部(２３)に接続される換気用の空気を通すための空気搬送用通路(４)と、
上記底フレーム(１)の下側に形成され、かつ、上記底フレーム(１)の壁側の設置面と上記底フレーム(１)の背面との間に左右方向に沿って形成された配管スペース(７)と
を備え、
上記空気搬送用通路(４)が上記接続部側から室内ユニットの内部に引き込まれるときは、上記空気搬送用通路(４)を上記接続部側から反対側の側部に向かって上記配管スペース(７)に通す一方、
上記空気搬送用通路(４)が上記接続部と反対の側から室内ユニットの内部に引き込まれるときは、上記空気搬送用通路(４)を上記配管スペース(７)に通すことなく上記換気用ダクト(２)の上記入口部(２３)に接続することを特徴とする空気調和機の室内ユニット。
【請求項２】
請求項１に記載の空気調和機の室内ユニットにおいて、
上記冷媒連絡配管(５)と上記空気搬送用通路(４)が上記接続部側から室内ユニットの内部に引き込まれるときは、上記冷媒連絡配管(５)を上記配管スペース(７)に通すことなく上記熱交換器(３)に接続する一方、
上記冷媒連絡配管(５)と上記空気搬送用通路(４)が上記接続部と反対の側から室内ユニットの内部に引き込まれるときは、上記冷媒連絡配管(５)を上記配管スペース(７)に通して上記熱交換器(３)に接続することを特徴とする空気調和機の室内ユニット。
【請求項３】
請求項１または２に記載の空気調和機の室内ユニットにおいて、
上記換気用ダクト(２)が上記底フレーム(１)から抜け出ないように、上記底フレーム(１)に係止する係止爪(２４a)を上記換気用ダクト(２)に設けたことを特徴とする空気調和機の室内ユニット。
【請求項４】
請求項１または２に記載の空気調和機の室内ユニットにおいて、
上記換気用ダクト(２)が上記底フレーム(１)から抜け出ないように、上記換気用ダクト(２)に係止する係止爪を上記底フレーム(１)に設けたことを特徴とする空気調和機の室内ユニット。
【請求項５】
請求項１乃至４のいずれか１つに記載の空気調和機の室内ユニットにおいて、
上記換気用ダクト(２)の上記吹出部(２２)は、上記本体部(２１)の一端部に略水平方向に突出する筒体であって、
上記底フレーム(１)の側部に、上記換気用ダクト(２)の上記吹出部(２２)が略水平方向に挿入可能な穴(１３)を設け、
上記底フレーム(１)の上記穴(１３)に上記換気用ダクト(２)の上記吹出部(２２)を挿入した後、上記底フレーム(１)の上記穴(１３)を略中心に上記換気用ダクト(２)の上記本体部(２１)を回転させて、上記換気用ダクト(２)を上記底フレーム(１)に収納したことを特徴とする空気調和機の室内ユニット。
【発明の詳細な説明】
【技術分野】
【０００１】
この発明は、換気機能を有する空気調和機の室内ユニットおよび換気用ダクトに関する。
【背景技術】
【０００２】
従来、空気調和機の室内ユニットとしては、室内の換気を行うために、空気搬送用ホースを備えたものがある(例えば、特開平７−２１７９３８号公報(特許文献１))。この空気調和機の室内ユニットは、ケーシングの右側に位置する冷媒連絡配管の配管貫通口から引き込まれた空気搬送用ホースを上方に立ち上げて、換気用空気を空気通路に導く吹出口に空気搬送用ホースの一端を接続している。
【０００３】
したがって、上記空気調和機の室内ユニットでは、ケーシングの左側の配管貫通口から引き込まれた冷媒連絡配管を室内熱交換器の右側に接続する場合、室内熱交換器の下流側の空気通路の背面と底フレームの後面との間に形成された配管スペースでは、冷媒連絡配管やドレインホースを通すための限られたスペースしかないため、空気搬送用ホースが冷媒連絡配管やドレインホースに干渉して、空気搬送用ホースを配管スペースに収納することができないという欠点がある。
【０００４】
また、上記空気調和機の室内ユニットでは、空気搬送経路を下側から立ち上げるために用いられる換気用ダクトを複数の部材を組み合わせて製作した場合、換気空気が各部材間の接合部より漏れやすいという欠点がある。この換気空気の漏れを防ぐために接合部のない一体成形の換気用ダクトを製作することも考えられるが、この場合、空気搬送用ホースの接続する入口部や吹出部を自由に設定できず、製作が困難であるという問題がある。
【先行技術文献】
【特許文献】
【０００５】
【特許文献１】特開平７−２１７９３８号公報
【発明の概要】
【発明が解決しようとする課題】
【０００６】
そこで、この発明の目的は、配管スペースにおいて冷媒連絡配管と空気搬送用ホースとが干渉することなく、換気用空気の搬送通路を配管スペース近傍から立ち上げできる空気調和機の室内ユニットを提供することにある。
【０００７】
また、この発明のもう１つの発明は、上記空気調和機の室内ユニットに用いられ、本体と蓋とを組み合わせて容易に製作できると共に、換気空気の漏れを確実に防止できる換気用ダクトを提供することにある。
【課題を解決するための手段】
【０００８】
上記目的を達成するため、この発明の空気調和機の室内ユニットは、
本体部と、その本体部の一端部に設けられた吹出部と、上記本体部の他端部に設けられた入口部とを有する換気用ダクトと、
上記換気用ダクトが、冷媒連絡配管が熱交換器に接続される接続部と反対側の側部に収納されると共に、前面側に上記熱交換器が固定され、室内ユニット本体の背面側に取り付けられた底フレームと、
上記換気用ダクトの上記入口部に接続される換気用の空気を通すための空気搬送用通路と、
上記底フレームの下側に形成され、かつ、上記底フレームの壁側の設置面と上記底フレームの背面との間に左右方向に沿って形成された配管スペースと
を備え、
上記空気搬送用通路が上記接続部側から室内ユニットの内部に引き込まれるときは、上記空気搬送用通路を上記接続部側から反対側の側部に向かって上記配管スペースに通す一方、
上記空気搬送用通路が上記接続部と反対の側から室内ユニットの内部に引き込まれるときは、上記空気搬送用通路を上記配管スペースに通すことなく上記換気用ダクトの上記入口部に接続することを特徴とする。
【０００９】
上記構成によれば、上記冷媒連絡配管が熱交換器に接続される側から配管類を引き込む場合、冷媒連絡配管をそのまま上方に立ち上げ、空気通路の背面と底フレームの後面との間に形成された配管スペースに空気搬送用通路を通して、冷媒連絡配管が熱交換器に接続される接続部と反対側の側部に収納された上記換気用ダクトの下端の入口部に空気搬送用通路を接続する。そうして、換気用空気は、空気搬送用通路と換気用ダクトを介して換気用ダクトの吹出部から吹き出し、換気用ダクトの吹出部を空気通路に配置することにより室内に吹き出す。一方、冷媒連絡配管が熱交換器に接続される接続部と反対の側から配管類を引き込む場合、冷媒連絡配管を上記配管スペースに通して、熱交換器の側部に接続し、空気搬送用通路をそのまま換気用ダクトの入口部に接続する。したがって、配管スペースにおいて冷媒連絡配管と空気搬送用通路とが干渉することなく、換気用空気の搬送通路を配管スペース近傍から立ち上げることができる。
【００１０】
また、一実施形態の空気調和機の室内ユニットは、上記冷媒連絡配管と上記空気搬送用通路が上記接続部側から室内ユニットの内部に引き込まれるときは、上記冷媒連絡配管を上記配管スペースに通すことなく上記熱交換器に接続する一方、上記冷媒連絡配管と上記空気搬送用通路が上記接続部と反対の側から室内ユニットの内部に引き込まれるときは、上記冷媒連絡配管を上記配管スペースに通して上記熱交換器に接続することを特徴としている。
【００１１】
また、一実施形態の空気調和機の室内ユニットは、上記換気用ダクトが上記底フレームから抜け出ないように、上記底フレームに係止する係止爪を上記換気用ダクトに設けたことを特徴としている。
【００１２】
上記実施形態によれば、上記換気用ダクトに設けた係止爪によって、換気用ダクトを底フレームから抜けないようにするので、ねじや工具等を用いることなく、換気用ダクトを底フレームに簡単に固定できる。
【００１３】
また、一実施形態の空気調和機の室内ユニットは、上記換気用ダクトが上記底フレームから抜け出ないように、上記換気用ダクトに係止する係止爪を上記底フレームに設けたことを特徴としている。
【００１４】
上記実施形態によれば、上記底フレームに設けた係止爪によって、換気用ダクトを底フレームから抜けないようにするので、ねじや工具等を用いることなく、換気用ダクトを底フレームに簡単に固定できる。
【００１５】
また、一実施形態の空気調和機の室内ユニットは、上記換気用ダクトの上記吹出部は、上記本体部の上端に略水平方向に突出する筒体であって、上記底フレームの側部に、上記換気用ダクトの上記吹出部が略水平方向に挿入可能な穴を設け、上記底フレームの上記穴に上記換気用ダクトの上記吹出部を挿入した後、上記底フレームの上記穴を略中心に上記換気用ダクトの上記本体部を回転させて、上記換気用ダクトの上記本体部を上記底フレームに収納したことを特徴としている。
【００１６】
上記実施形態によれば、上記換気用ダクトを底フレームに取り付けるとき、底フレームの側部に、換気用ダクトの吹出部が略水平方向に挿入可能な穴を設け、底フレームの穴に換気用ダクトの吹出部を挿入した後、底フレームの穴を略中心に換気用ダクトの本体部を回転させて、換気用ダクトを底フレームに収納する。このような換気用ダクトが底フレームから外れ難い構造によって、換気用ダクトの下端側を底フレームに固定するだけで、換気用ダクトを底フレームに確実に取り付けできる。
【発明の効果】
【００１７】
以上より明らかなように、この発明の空気調和機の室内ユニットは、換気用ダクトは、本体部と、その本体部の上端に設けられた吹出部と、上記本体部の下端に設けられた入口部とを有し、冷媒連絡配管が熱交換器に接続される接続部と反対側の底フレームの側部に換気用ダクトを収めたものである。
【００１８】
したがって、上記構成によれば、空気通路の背面と底フレームの裏面との間の配管スペースにおいて冷媒連絡配管と空気搬送用通路とが干渉することなく、換気用空気の搬送通路を配管スペース近傍から立ち上げることができる。
【００１９】
また、一実施形態の空気調和機の室内ユニットによれば、上記換気用ダクトに設けた係止爪によって、換気用ダクトを底フレームから抜けないようにするので、ねじや工具等を用いることなく、換気用ダクトを底フレームに簡単に固定することができる。
【００２０】
また、一実施形態の空気調和機の室内ユニットによれば、上記底フレームに設けた係止爪によって、換気用ダクトを底フレームから抜けないようにするので、ねじや工具等を用いることなく、換気用ダクトを底フレームに簡単に固定できる。
【００２１】
また、一実施形態の空気調和機の室内ユニットによれば、上記底フレームの側部に設けられた穴に換気用ダクトの吹出部を略水平方向に挿入した後、底フレームの穴を略中心に換気用ダクトの本体部を回転させて、換気用ダクトを底フレームに収納するので、換気用ダクトの下端側を底フレームに固定するだけで、換気用ダクトを底フレームに確実に取り付けることができる。
【図面の簡単な説明】
【００２２】
【図１】図１はこの発明の実施の一形態の空気調和機の室内ユニットの要部の斜視図である。
【図２】図２(A)は上記空気調和機の室内ユニットの正面パネルを外した状態の側面図であり、図２(B)は上記空気調和機の室内ユニットの要部の正面図である。
【図３】図３(A)は上記室内ユニットの換気用ダクトの本体部の左側面図であり、図３(B)は上記本体部の正面図である。
【図４】図４(A)は上記換気用ダクトの蓋の正面図であり、図４(B)は上記蓋の右側面図である。
【図５】図５は上記換気用ダクトの本体と蓋とを組み合わせる直前の正面図である。
【図６】図６(A)は上記本体と蓋とを組み合わせた換気用ダクトの正面図であり、図６(B)は上記換気用ダクトの後面図である。
【図７】図７は図６(B)に示す上記換気用ダクトの要部の拡大断面図である。
【発明を実施するための形態】
【００２３】
以下、この発明の空気調和機の室内ユニットおよび換気用ダクトを図示の実施の形態により詳細に説明する。
【００２４】
図１はこの発明の実施の一形態の空気調和機の室内ユニットの要部の斜視図であり、１は底フレーム、２は上記底フレーム１の左側部に取り付けられる換気用ダクトである。上記換気用ダクト２は、本体部２１と、その本体部２１の上端に設けられた吹出部２２と、上記本体部２１の下端に設けられた入口部２３とを有している。上記換気用ダクト２の吹出部２２は、本体部２１の上端から略水平方向に突出する円筒形状をしている。また、上記換気用ダクト２の本体部２１の下端側に、前方に突出する略三角形状の突出板２４を設け、その突出板２４の先端に係合爪２４aを設けている。一方、上記底フレーム１の左側部に、換気用ダクト２の本体部２１の一部が収まる溝１１を形成している。上記溝１１は、左側板部１５と、その左側板部１５の前縁から側方外側に延びる連結部１６と、その連結部１６の先端から後方に上記左側板部１５と略平行に延びる台形状の側板１２とで形成されている。また、上記底フレーム１の左側板部１５の上側に、換気ダクト２の吹出部２２を挿入可能な穴１３を設けている。なお、上記換気用ダクト２の本体部２１の側方に、底フレーム１の台形状の側板１２が嵌まる段部２１aを設けている。また、上記空気調和機の室内ユニットでは、室内熱交換器(図２(A),(B)に示す)の右側の接続部に冷媒連絡配管５(図２(A)に示す)を接続している。
【００２５】
上記構成の空気調和機の室内ユニットにおいて、図１に示すように、換気ダクト２の吹出口２２を底フレーム１の穴１３に図１中矢印Ｒ1の方向に挿入した後、換気ダクト２の本体部２１を底フレーム１の穴１３を略中心に図１中矢印Ｒ2の方向に回転させて、換気ダクト２の本体部２１の一部を底フレーム１の溝１１に収納する。そうすると、上記換気ダクト２の突出板２４が底フレーム１に形成された穴１４に挿入され、突出板２４の先端の係合爪２４aが板部１２の前縁に係止する。
【００２６】
また、図２(A)は上記空気調和機の室内ユニットの正面パネル(図示せず)を外した状態の側面図を示し、図２(B)は図２(A)に示す室内ユニットの正面図を示している。
【００２７】
上記空気調和機の室内ユニットでは、冷媒連絡配管５,ドレインホース６および空気搬送用ホース４を底フレーム１の右下コーナー近傍の配管貫通口(図示せず)から引き込んだ場合、冷媒連絡配管５をそのまま上方に立ち上げて、室内熱交換器３の右側に接続する一方、空気搬送用ホース４を配管スペース７に通して、底フレーム１の左側の換気用ダクト２の入口部２３に空気搬送用ホース４の先端を接続する。一方、上記冷媒連絡配管５,ドレインホース６および空気搬送用ホース４を底フレーム１の左下コーナー近傍の配管貫通口(図示せず)から引き込んだ場合、冷媒連絡配管５を配管スペース７に通した後、底フレーム１の右側から立ち上げて、室内熱交換器３の右側に接続する一方、空気搬送用ホース４をそのまま換気用ダクト２の入口部２３に接続する。なお、上記ドレンホース６は、ドレンパン(図示せず)の排出口の位置に応じて配管スペース７に通す。
【００２８】
このように、上記配管スペース７において冷媒連絡配管５と空気搬送用ホース４とが干渉することなく、換気用空気の搬送通路を配管スペース７近傍から換気用ダクト２により立ち上げることができる。
【００２９】
また、上記換気用ダクト２に設けた係止爪２４aによって、換気用ダクト２を底フレーム１の溝１１から抜けないようにするので、ねじや工具等を用いることなく、換気用ダクト２を底フレーム２に簡単に固定することができる。
【００３０】
また、上記換気用ダクト２を底フレーム１に取り付けるとき、底フレーム１の穴１３に換気用ダクト２の吹出部２２を挿入した後、底フレームの穴を略中心に換気用ダクト２の本体部２１を回転させて、換気用ダクト２の本体部２１の一部を底フレーム１の溝１１に収納するので、換気用ダクト２の下端側を底フレーム１に固定するだけで、換気用ダクト２を底フレーム１に確実に取り付けることができる。
【００３１】
また、図３(A),(B)は上記換気用ダクト２の本体２Ａの左側面図,正面図を示しており、図４(A),(B)は上記換気用ダクト２の蓋２Ｂの正面図,右側面図を示している。上記本体２Ａと蓋２Ｂとで換気用ダクト２を構成している。
【００３２】
上記本体２Ａは、図３(A),(B)に示すように、側板３０の外縁に左側方に向かって延びる側壁３１を設け、同一平面である開口側の縁部としての側壁３１の先端面に、開口側の縁部全周に沿って連続する断面矩形状の溝３２を設けている。上記側板３０の上端近傍に吹出穴３３を設け、その吹出穴３３から延びる略円筒形状の吹出部２２を設けている。また、上記側板３０の下端近傍に凹部３０aを設け、その凹部３０aの下側に吸込穴３４を設け、その吸込穴３４から下方かつ斜め後方に延びる入口部２３を設けている。さらに、上記側壁３１の外側に、４つの突起部３５〜３８を設けている。また、上記本体２Ａの正面側の側壁３１の下側に正面外側に延びる略三角形状の突出板２４を設け、その突出板２４の先端に係合爪２４aを設けている。
【００３３】
一方、上記蓋２Ｂは、図４(A),(B)に示すように、側板４０の外縁に右側方に向かって延びる側壁４１を設け、同一平面である縁部としての側壁４１の先端面に、その縁部全周に沿って連続する断面略矩形状の凸部４２を設けている。さらに、上記側壁４１の外側かつ本体２Ａの突起部３５〜３８に対向する位置に、その突起部３５〜３８を係止する係止部４５〜４８を設けている。なお、上記蓋２Ｂの上側の側壁４１の内側に右側方に延びる舌部４３を設けている。
【００３４】
図５に示すように、上記構成の本体２Ａと蓋部２Ｂとを対向させて、蓋部２Ｂの側壁４１に設けられた凸部４２を本体２Ａの側壁３１の溝３２に嵌合させ、その嵌合箇所を接着剤等を用いて接着して、本体２Ａに蓋部２Ｂを固定する。このとき、上記本体２Ａの突起部３５〜３８に蓋２Ｂの係止部４５〜４８が夫々係止する。そうして組み立てられた換気用ダクト２の正面図を図６(A)に示すと共に、換気用ダクト２の後面図を図６(B)に示している。また、図７は図６(B)の要部Ｓの拡大断面図を示しており、本体２Ａの側壁３１の溝３２に蓋２Ｂの側壁４１の凸部４２が嵌合している状態を示している。
【００３５】
なお、上記換気用ダクト２の本体２Ａに溝３２を設け、その溝３２に嵌合する凸部４２を蓋２Ｂに設けたが、換気用ダクトの本体に凸部を設け、その凸部が嵌合する溝を蓋に設けてもよく、上記溝,凸部の断面形状も矩形に限らないのは勿論である。
【００３６】
上記換気用ダクト２では、本体２Ａの溝３２と蓋２Ｂの凸部４２とを同一平面で互いに嵌合して接合することによって、本体２Ａと蓋２Ｂとを組み合わせて容易に製作することができると共に、接合部の換気空気の漏れを確実に防止することができる。
【００３７】
上記実施の形態では、底フレーム１に係止する係止爪２４aを換気用ダクト２に設けたが、換気用ダクトに係止する係止爪を底フレームに設けてもよいし、底フレームおよび換気用ダクトの両方に他方に係止する係止爪を夫々設けてもよい。
【００３８】
また、上記実施の形態では、底フレーム１の穴１３に換気用ダクト２の吹出部２２を挿入した後、底フレーム１の穴１３を略中心に換気用ダクト２を回転させて、換気用ダクト２の本体部２１の一部を底フレーム１の溝１１に収納したが、換気用ダクトの収納形態はこれに限らず、換気用ダクトの少なくとも一部が収まる溝を底フレームの側部に形成したものであればよい。
【００３９】
また、上記実施の形態では、空気搬送用ホースを介して換気用ダクトに換気用の空気を通したが、加湿された空気を給気用ダクトを介して空気通路に吹き出してもよい。
【００４０】
また、上記実施の形態では、空気搬送用ホースを介して換気用ダクトに換気用の空気を吹き出したが、逆に、換気用ダクトから屋内空気を取り込み空気搬送用ホースを介して屋外に排気してもよい。
【符号の説明】
【００４１】
１…底フレーム、２…換気用ダクト、
２Ａ…本体、２Ｂ…蓋、
３…熱交換器、４…空気搬送用ホース、
５…冷媒連絡配管、６…ドレインホース、
７…配管スペース、
１１…溝、１２…板部、
１３…穴、１４…係合部用穴、
２１…本体部、２１a…凹部、
２２…吹出口、２３…入口部、
２４…突出板、２４a…係止爪、
３２…溝、４２…凸部。
【図１】
0004379546.tif 000002
【図２】
0004379546.tif 000003
【図３】
0004379546.tif 000004
【図４】
0004379546.tif 000005
【図５】
0004379546.tif 000006
【図６】
0004379546.tif 000007
【図７】
0004379546.tif 000008